(57)【特許請求の範囲】
【請求項１】
ケースと、前記ケースに収納する弁体と、からなる真空弁であって、
前記ケースには、前記弁体を収納する弁体収納孔と、前記弁体収納孔の底面から前記ケース外部に貫通する吸気路と、前記弁体収納孔の側面から前記ケース外部に貫通する排気路と、を形成し、
前記弁体は、前記弁体収納孔に螺挿可能であり、
前記弁体の先端には、前記吸気路に挿入可能な突起部を有し、
前記突起部に、前記吸気路よりも大径のＯリングを掛止し、
前記突起部は、前記吸気路に挿入する円柱部と、前記円柱部から拡径して前記弁体と連結する、テーパ部と、を有し、前記Ｏリングが前記テーパ部に沿って移動可能であり、
前記弁体を螺挿することによって、前記弁体及び前記Ｏリングによって前記吸気路を封止することを特徴とする、真空弁。
【請求項２】
請求項１に記載の真空弁において、真空弁を全開として使用する際に、前記突起部の先端が前記吸気路内に位置することを特徴とする、真空弁。
【発明の詳細な説明】
【技術分野】
【０００１】
本発明は、減圧容器などから空気を吸引し、その内部の圧力を維持することなどに使用する真空弁に関するものである。
【背景技術】
【０００２】
タンクなどの減圧容器から真空ポンプで空気を吸引し、その真空状態を維持するために、吸気路を遮蔽する真空弁が使用されている。
例えば、特開２００９−２８７７６０号公報に記載された真空弁のように、ケースに形成した吸気路及び排気路に連通する弁体収納孔を設け、弁体収納孔に弁体を収納した状態で移動して全閉にすることにより、吸気路を遮断して、減圧容器を真空状態に維持するものである。
この真空弁は、弁体収納孔の底部であって、吸気路の外周を囲むように溝を形成し、この溝にＯリングを嵌挿することにより、弁体とＯリングが密着し吸気路を遮蔽する構成を有している。
【先行技術文献】
【特許文献】
【０００３】
【特許文献１】特開２００９−２８７７６０号公報
【発明の概要】
【発明が解決しようとする課題】
【０００４】
しかし、このような構成を有する真空弁には、以下のような問題点がある。
（１）メンテナンス時などにおいて、弁体を全閉状態から開いていくと、弁体収納孔底部に設けたＯリングが弁体に張り付いてしまい、溝から脱落してしまう可能性がある。
（２）Ｏリングが溝に嵌挿されているかどうかの確認は、弁体をケースから外して、弁体収納孔内部を確認しなければならない。
（３）Ｏリングが脱落したまま弁体を閉めても、Ｏリングは溝に戻らず、吸気路を遮蔽することができない。また、Ｏリングがケースと弁体に挟まれて破損してしまう可能性がある。
（４）弁体の全閉状態の確認は、弁体を閉めるための工具の手応えで判断するが、Ｏリングの状態が確認できないため、Ｏリングが脱落している場合には、真空弁を取り付ける減圧容器の真空漏れが生じる可能性がある。
（５）弁体収納孔内部にＯリングを嵌挿するための溝を形成するために、加工費が必要となる。
【０００５】
本発明は、弁自体を出来る限り小型化でき、安価で、弁の開閉等、反復使用による構成部品の破損を防止する、真空弁を提供することを目的とする。
【課題を解決するための手段】
【０００６】
上記目的を達成するためになされた本願の第１発明は、ケースと、前記ケースに収納する弁体と、からなる真空弁であって、前記ケースには、前記弁体を収納する弁体収納孔と、前記弁体収納孔の底面から前記ケース外部に貫通する吸気路と、前記弁体収納孔の側面から前記ケース外部に貫通する排気路と、を形成し、前記弁体は、前記弁体収納孔に螺挿可能であり、前記弁体の先端には、前記吸気路に挿入可能な突起部を有し、前記突起部に、前記吸気路よりも大径のＯリングを掛止し、前記突起部は、前記吸気路に挿入する円柱部と、前記円柱部から拡径して前記弁体と連結する、テーパ部と、を有し、前記Ｏリングが前記テーパ部に沿って移動可能であり、前記弁体を螺挿することによって、前記弁体及び前記Ｏリングによって前記吸気路を封止することを特徴とする、真空弁を提供する。
本願の第２発明は、第１発明の真空弁において、真空弁を全開として使用する際に、前記突起部の先端が前記吸気路内に位置することを特徴とする、真空弁を提供する。
【発明の効果】
【０００７】
本発明は、上記した課題を解決するための手段により、次のような効果の少なくとも一つを得ることができる。
（１）弁体の先端に突起部を形成し、突起部にＯリングを掛止するため、Ｏリング溝が不要となり、安価に真空弁を製造できる。
（２）Ｏリングの外径を吸気路の径より大きく、かつ、弁全開時に突起部の先端が吸気路内部に位置するように構成することにより、Ｏリングが突起部から脱落することがなく、真空漏れが生じることがない。
（３）突起部に形成したテーパによって、Ｏリングが弁体全閉時の適正位置に誘導される。このため、全閉時にＯリングがケースと弁体に挟まれて破損することなく、吸気路を遮断することができる。
（４）突起部のテーパによってＯリングが位置決めされるため、Ｏリングの状態を確認する必要が無い。
【図面の簡単な説明】
【０００８】
【図１】本発明に係る真空弁の分解斜視図
【図２】真空弁の閉の断面図
【図３】真空弁の使用状態の断面図
【図４】真空弁の開の状態の断面図
【図５】突起部とＯリングの位置関係の説明図
【発明を実施するための形態】
【０００９】
以下、図に示す実施例に基づき、本発明を詳細に説明する。
【実施例１】
【００１０】
［１］全体の構成
本発明の真空弁は、ケース１と、弁体２と、全閉時にケース１と弁体２間を密閉するＯリング３と、からなる。（図１、図２）
【００１１】
（１）ケース
ケース１は、減圧容器の排気口に螺着する部材である。
ケース１は、レンチ等で掴んで減圧容器の排気口に螺着するため、その一部外径は、六角柱状の形状を呈する。
ケース１の材料については、鋼製や黄銅製など、腐食しにくい金属であれば広く採用できる。
ケース１には、その一端から、その軸方向に所定径の円柱状の弁体収納孔１１を、所定の深さまで穿孔する。
弁体収納孔１１の内周面であって、当該一端から軸方向に所定の長さには、雌ネジ１１１を刻設する。
弁体収納孔１１の底面１１２には、弁体収納孔１１と同軸芯であって、弁体収納孔１１の径よりも小さい吸気路１２を穿孔する。吸気路１２はケース１の外部まで貫通する。
ケース１の外形の一部であって、吸気路１２が貫通する部分には、外周に雄ネジ１２１を刻設する。
ケース１の外周から、弁体収納孔１１に直交する方向に、排気路１３を穿孔する。排気路１３は弁体収納孔１１に貫通している。
排気路１３の内周面には、雌ネジ１３１を刻設する。
【００１２】
（２）弁体
弁体収納孔１１の中には、黄銅によって形成した弁体２を収納する。
弁体２は円柱形状を成しており、弁体２のうち、弁体収納孔１１に挿入する側の端面の中心には、柱状の突起部２１を形成する。
弁体２の他端面、つまりケース１の外周側に表出する面には、六角形状の凹部である係止部２２を形成する。
また、弁体２の係止部２２が形成された側の端部の外周面の所定の範囲には、雄ネジ２３を刻設する。
【００１３】
（３）突起部
突起部２１は、弁体２に立設する円錐台状のテーパ部２１１と、テーパ部２１１の頂部に立設する円柱部２１２と、からなる。
テーパ部２１１の底部の径は、吸気路１２と略同径とし、テーパ部２１１の頂部の径及び円柱部２１２の径は、吸気路１２よりも小径とする。
突起部２１の突出長は、真空弁が全開となるように弁体２を移動した際に、突起部２１の先端が吸気路１２内部に位置する長さとする。
【００１４】
（４）Ｏリング
ケース１の弁体収納孔１１内部には、Ｏリング３を配置する。
Ｏリング３の内径は、突起部２１のテーパ部２１１の底部の径と略同径、かつ吸気路１２よりも大径とする。
Ｏリング３の太さは、吸気路１２に突起部２１の円柱部２１２を挿入した際の、円柱部２１２と吸気路１２との距離よりも太くなるように構成する。
Ｏリング３は弁体収納孔１１の底面１１２に固定せず、弁体２の突起部２１に掛止して配置する。
【００１５】
［２］使用状態
次に、上記構成の真空弁の使用状態を説明する。
【００１６】
（１）減圧
タンクなどの減圧する容器４の排気口に、ケース１の雄ネジ１２１を螺着する。（図３）
排気路１３の雌ネジ１３１には、真空ポンプ５とつないだパイプ６を螺挿する。
弁体収納孔１１内には、弁体２を収納する。このとき弁体２の突起部２１にＯリング３を掛止しておく。（図４）
弁体２の突起部２１にＯリング３を掛止するのみであるため、Ｏリング３固定用の溝等を加工する必要が無く、安価に真空弁を製造できる。
弁体２の雄ネジ２３と弁体収納孔１１の雌ネジ１１１を螺合することで弁体２は弁体収納孔１１に沿って進退可能である。
弁体２は、弁体２の外部側へ後退させており、吸気路１２と排気路１３とが、弁体収納孔１１を経由して連通するようにしておく。
この状態で真空ポンプ５を起動し、容器４内の空気を吸引して減圧する。
なお、雄ネジ２３には減圧時に雌ネジ１１１との隙間からの真空漏れを防止するため、真空グリース等を塗布しておく。
【００１７】
（２）封止
減圧が終了した後、六角レンチ７等を係止部２２に係止し、弁体２をねじ込んで弁体収納孔１１の底面１１２方向に進行させる。
弁体２が弁体収納孔１１内に進行すると、弁体２の突起部２１は、吸気路１２内に挿入される。（図５ａ）
突起部２１に掛止したＯリング３の外径は、吸気路１２よりも大径である。このため、突起部２１が吸気路１２に挿入されると、Ｏリング３は、弁体収納孔１１の底面１１２に当接し、突起部２１の円柱部２１２からテーパ部２１１の方向に移動する。
そして、Ｏリング３の内径は、テーパ部２１１の底部の径と略同径であるため、Ｏリング３はテーパ部２１１に沿って移動し、弁体２と弁体収納孔１１の底面１１２が接触しようとするときには、テーパ部２１１の底部に沿って位置し、吸気路１２の開口を囲繞する。（図５ｂ、ｃ）
このように、Ｏリング３はテーパ部２１１によって位置決めされるため、Oリング３の位置がずれて吸気路１２が密閉されなくなる恐れが無い。
そして、Ｏリング３が、弁体収納孔１１の底面１１２と、弁体２とに密着して挟持されるまで弁体２を進行させると、吸気路１２がＯリング３及び弁体２により遮蔽され、減圧状態のまま、真空漏れも一切無く、吸引は終了する。
この状態で真空ポンプ５の作動を停止する。
【００１８】
（３）開放
真空弁を全閉状態から開く際には、六角レンチ７等を係止部２２に係止し、弁体２を弁体収納孔１１の開口方向に後退させる。
弁体２と弁体収納孔１１の底面１１２間のＯリング３は、突起部２１に掛止するため、脱落することがない。（図５ｂ）
さらに、弁体２を後退させて真空弁を全開状態としても、突起部２１の先端が吸気路１２から抜け出すことがないため、Ｏリング３は、突起部２１及び弁体収納孔１１の底面１１２によって移動が制限され、脱落することがなく、再度真空弁を全閉状態としても、テーパ部２１１によって位置決めされるため、真空漏れが生じることはない。
また、Ｏリング３の脱落や破損が生じないため、開閉を繰り返しても、真空弁が破損することがない。
【符号の説明】
【００１９】
１      ケース
１１    弁体収納孔
１１１  雌ネジ
１１２  底面
１２    吸気路
１２１  雄ネジ
１３    排気路
１３１  雌ネジ
２      弁体
２１    突起部
２１１  テーパ部
２１２  円柱部
２２    係止部
２３    雄ネジ
３      Ｏリング
４      容器
５      真空ポンプ
６      パイプ
７      六角レンチ
【図１】
0005662721.tif 000002
【図２】
0005662721.tif 000003
【図３】
0005662721.tif 000004
【図４】
0005662721.tif 000005
【図５】
0005662721.tif 000006